(57)【要約】【課題】扉の開動を効率良くアシストする扉開動アシスト錠を提供する。【解決手段】扉２の開動をアシストする扉開動アシスト錠であって、前記扉２は、扉２に取り付けられた操作部材が操作されることによって扉２の厚み方向に揺動して開放されるものにおいて、操作部材の回動に連動して回動する回動部材２０と、回動部材２０の回動に連動して扉高さ方向にスライドするスライド部材３０，４０と、扉２に設けられた開口部２ａから扉厚み方向に進退可能に扉２の内部空間に収容され、スライド部材３０，４０のスライドに連動して扉厚み方向に回動して開口部２ａから突出し、扉２の扉枠に当接して扉２に扉２の開放方向への力を作用させる開動補助部材６０と、を備える。【選択図】図８
2012177234.tif 000002
【特許請求の範囲】
【請求項１】
扉に回動可能に取り付けられた操作部材が操作されることによって、前記扉の厚み方向に揺動して開放される前記扉の開動をアシストする扉開動アシスト錠であって、
前記操作部材の回動に連動して回動する回動部材と、
前記回動部材の回動に連動して前記扉の高さ方向にスライドするスライド部材と、
前記扉に設けられた開口部から前記扉の厚み方向に進退可能に前記扉の内部空間に収容され、前記スライド部材のスライドに連動して前記扉の厚み方向に回動して前記開口部から突出し、前記扉の扉枠に当接して前記扉に前記扉の開放方向への力を作用させる開動補助部材と、を備えた
ことを特徴とする、扉開動アシスト錠。
【請求項２】
前記扉の内部空間に収容されている
ことを特徴とする、請求項１に記載の扉開動アシスト錠。
【請求項３】
前記操作部材が操作されていない状態では、前記開動補助部材は前記扉と面一になるように前記扉の内部空間に収容されている
ことを特徴とする、請求項２に記載の扉開動アシスト錠。
【請求項４】
前記開動補助部材は板状体で構成されている
ことを特徴とする、請求項１〜３のいずれか１項に記載の扉開動アシスト錠。
【請求項５】
前記開動補助部材は、前記扉と当接する当接部が円形状に形成されている
ことを特徴とする、請求項１〜４のいずれか１項に記載の扉開動アシスト錠。
【発明の詳細な説明】
【技術分野】
【０００１】
本発明は、扉（例えば、マンション等の住宅の玄関扉）の開動をアシストする錠に関する。
【背景技術】
【０００２】
近年、マンション等の住宅は高気密化され、このような高気密化された住宅の室内で換気扇が連続運転されると、室内の気圧が室外よりも低くなり、玄関扉の室外側への開動に大きな力が必要となる場合がある。そのため、扉の開動をアシストする技術が開発されている。
【０００３】
例えば特許文献１には、扉の容易な開動を図ることを目的とした開動助勢錠が開示されている。この特許文献１の開動助勢錠は、扉枠に設けられた反力部材と、扉開閉端から進退自在に設けられ進出動によって反力部材に当接して扉を開方向へこじるこじ開けラッチと、ラッチボルトを進退させる操作軸に固定され、ラッチボルトを後退させた後の操作軸の回転操作によってこじ開けラッチを進出動させるこじ開けカムと、を備えて構成されている。あるいは、特許文献１の開動助勢錠は、扉枠に設けられた反力部材と、ラッチボルトを進退させる操作軸に半径方向外側へ突出して固設され、ラッチボルトを後退させた後の操作軸の回転操作によって反力部材に当接して扉を開方向へこじるこじ開け杆と、を備えて構成されている。
【先行技術文献】
【特許文献】
【０００４】
【特許文献１】特開２００５−１２７０４４号公報
【発明の概要】
【発明が解決しようとする課題】
【０００５】
前述の特許文献１の開動助勢錠においては、こじ開けラッチあるいはこじ開け杆が扉の幅方向に動作することで、扉の開動が助勢されている。つまり、特許文献１の開動助勢錠は、扉を開動する力が、扉の開方向である扉の厚み方向に対して直角に作用するようになっている。そのため、効率良く扉の開動を助勢しているとは言い難い。
【０００６】
本発明は、斯かる実情に鑑み、扉の開動を効率良くアシストする扉開動アシスト錠を提供することを目的としている。
【課題を解決するための手段】
【０００７】
本発明の扉開動アシスト錠は、上述の目的を達成するために、扉に回動可能に取り付けられた操作部材が操作されることによって、前記扉の厚み方向に揺動して開放される前記扉の開動をアシストする扉開動アシスト錠であって、前記操作部材の回動に連動して回動する回動部材と、前記回動部材の回動に連動して前記扉の高さ方向にスライドするスライド部材と、前記扉に設けられた開口部から前記扉の厚み方向に進退可能に前記扉の内部空間に収容され、前記スライド部材のスライドに連動して前記扉の厚み方向に回動して前記開口部から突出し、前記扉の扉枠に当接して前記扉に前記扉の開放方向への力を作用させる開動補助部材と、を備えたことを特徴としている。
【０００８】
なお、本発明の扉開動アシスト錠は、前記扉の内部空間に収容されていることが好ましい。また、前記操作部材が操作されていない状態では、前記開動補助部材は前記扉と面一になるように前記扉の内部空間に収容されていることが好ましい。
【０００９】
また、前記開動補助部材は板状体で構成されていることが好ましい。また、前記開動補助部材は、前記扉と当接する当接部が円形状に形成されていることが好ましい。
【発明の効果】
【００１０】
本発明の扉開動アシスト錠によれば、扉の開動を効率良くアシストするという優れた効果を奏し得る。
【００１１】
また、本発明の扉開動アシスト錠が扉の内部空間に収容されていれば、扉をコンパクトに構成することができるという利点に加えて、本扉開動アシスト錠が扉外に露出しないので、扉のデザイン性が扉回動アシスト錠によって損なわれないという利点がある。
【００１２】
また、開動補助部材が扉と面一に配設されていれば、扉の開動補助部材の進退部分に段差が生じないので、この点でも扉のデザイン性が損なわれないという利点がある。
【００１３】
また、開動補助部材が板状体で構成されていれば、開動補助部材をコンパクトに構成することができるとともに、開動補助部材を収容する扉乃至は錠ケースの構成もコンパクトにすることができるという利点がある。
【００１４】
また、開動補助部材の当接部が円形状に形成されていれば、開動補助部材が扉枠に当接する際に角で当接することがないので、扉枠が損傷することを防止することができるという利点がある。また、開動補助部材の回動力を当接部の円形状に沿って滑らかに扉枠に伝達して、扉を滑らかに開放することができるという利点がある。
【図面の簡単な説明】
【００１５】
【図１】本発明の一実施形態に係る扉開動アシスト錠を室外側から見た模式図であって、その錠ケースの内部を透視して示している。
【図２】本発明の一実施形態に係る扉開動アシスト錠が内装された扉を室外側から見た様子を示す模式的な正面図である。
【図３】本発明の一実施形態に係る扉開動アシスト錠を示す図であって、図２のＡ−Ａ矢視断面図である。
【図４】本発明の一実施形態に係る扉開動アシスト錠のロックスライダーを示す図であって、（ａ）はその正面図（室外側から見た図）、（ｂ）はその側面図である。
【図５】本発明の一実施形態に係る扉開動アシスト錠のアームスライダーを示す図であって、（ａ）はその斜視図、（ｂ）はその背面図（室外側から見た図）である。
【図６】本発明の一実施形態に係る扉開動アシスト錠のディバイドプレートを示す図であって、（ａ）はそのディバイドプレートの構成要素を分解して示す正面図（戸先側から見た図）、（ｂ）はその側面図である。
【図７】本発明の一実施形態に係る扉開動アシスト錠のアームを示す図であって、（ａ）はその正面図（戸先側から見た図）、（ｂ）はその側面図である。
【図８】本発明の一実施形態に係る扉開動アシスト錠の各部材の動作を説明するための模式図であって、（ａ）はレバーハンドルが操作されていない状態を示し、（ｂ）はレバーハンドルが操作されて下方に押し下げられた状態を示している。
【発明を実施するための形態】
【００１６】
以下、本発明の実施の形態を図面を参照して説明する。
［一実施形態］
図２に示すように、本発明の一実施形態の扉開動アシスト錠１は、マンション等の集合住宅の玄関口（出入口）を開閉する扉２の開動をアシストする機能を備えたものである。なお、後述するが、本発明の扉開動アシスト錠１は集合住宅の玄関口を開閉する扉２への設置に限定されるものではない。
【００１７】
＜扉枠の構成＞
玄関口には扉枠３が設けられ、扉２はこの扉枠３にヒンジ（図示略）を介して室外の方向に揺動可能に取り付けられている。扉枠３は、扉２が揺動により室内に入り込むことを規制するように、図３に示すように、室内側が枠の内側へ向かって突出する段状に形成されている。以下、この段状に突出した部分を段部３ａという。また、扉枠３には、扉開動アシスト錠１と対面する位置に、ストライク板４およびストライクボックス５が取り付けられている。なお、図３において、錠ケース１０の内部に配置される部材については、後述するラッチボルト１１とアーム６０以外は図示を省略している。
【００１８】
＜扉の構成＞
扉２の表裏面にはそれぞれ、上下方向に揺動可能なレバーハンドル（操作部材）６が取り付けられている。扉２は、このレバーハンドル６が押し下げられることで、ラッチボルト１１がストライク板４およびストライクボックス５から退避し、扉枠３に対する係合状態が解除されて、室外の方向に開動して玄関口を開放することができるようになっている。また、扉２の室内側の面には、後述するアーム６０が進退するための開口部２ａ（図８（ａ）および（ｂ）参照）が形成されている。
【００１９】
なお、以下では、扉２の厚み方向をＸ方向、扉２の幅方向をＹ方向、扉２の高さ方向（上下方向）をＺ方向ともいう。また、Ｘ−Ｚ面方向を扉厚み面方向、Ｙ−Ｚ面方向を扉幅面方向ともいう。
【００２０】
＜扉開動アシスト錠の全体構成＞
扉開動アシスト錠１は、図１に示すように、錠ケース１０と、カムプレート（回動部材）２０と、ロックスライダー（第１のスライド部材）３０と、アームスライダー（第２のスライド部材）４０と、ディバイドプレート（ガイド部材）５０と、アーム（開動補助部材）６０と、を備えている。
【００２１】
また、扉開動アシスト錠１は、扉２が風などであおられないように仮締めするための前述のラッチボルト１１に加えて、扉２を施錠（本締め）するためのデッドボルト１２を備えている。ラッチボルト１１とデッドボルト１２はともに、扉枠３に設けられたストライク板４およびストライクボックス５に向かって錠ケース１０から扉幅方向に進退するようになっている。ただし、ラッチボルト１１およびデッドボルト１２は、扉開動アシスト錠１に必須の構成要素ではない。
【００２２】
＜錠ケースの構成＞
錠ケース１０は、箱型に形成されて扉２の戸先側の内部に収納されている。そして、錠ケース１０の内部に、ラッチボルト１１と、デッドボルト１２と、カムプレート２０と、ロックスライダー３０と、アームスライダー４０と、ディバイドプレート５０と、アーム６０と、が少なくとも配置されている。なお、図１中符号１３で示す部材はロックプレートであり、ロックプレート１３は、レバーハンドル６の揺動（回動の意を含む）に連動してラッチボルト１１がストライク板４およびストライクボックス５に対して進退するという、レバーハンドル６からラッチボルト１１に向けた力の伝達に寄与している。ただし、本発明の扉開動アシスト錠１の後述する力の伝達にはロックプレート１３は直接寄与しないので、詳細な説明は省略する。また、図１中の符号１４で示す位置には、鍵が挿しこまれるシリンダやサムターンが設置されるが、シリンダやサムターンは公知の構成を採用することができるので説明は省略する。
【００２３】
＜カムプレート＞
カムプレート２０は、プレート状の部材で構成され、そのプレート面が扉幅面方向に一致するように錠ケース１０内に配置されている。そして、レバーハンドル６の揺動軸Ｏ１と同軸で回動（揺動の意を含む）するようにレバーハンドル６に連結されて、レバーハンドル６の揺動に連動して回動するようになっている。軸Ｏ１は扉厚み方向に延びている。
【００２４】
カムプレート２０はまた、ロックプレート１３やロックスライダー３０と重なり合う部分（以下、先端部という）を有しており、この先端部には、第１のピン部材（第１の連結手段）７１が挿通されるピン孔２１が形成されている。第１のピン部材７１は、ピン孔２１に挿通された状態でカムプレート２０に固定されている。
【００２５】
＜ロックスライダー＞
ロックスライダー３０は、図４（ａ）および（ｂ）に示すように、プレート状に構成されている。そして、図１に示すように、そのプレート面が扉幅面方向に一致するように錠ケース１０内に配置されている。本実施形態では、図４（ｂ）に示すように、ロックスライダー３０は２枚の同形状のプレート状の部材を重ね合わせ、適宜の箇所をスポット溶接することで構成されている。これは、ロックスライダー３０を肉厚にして剛性を高めるためである。したがって、剛性が十分に確保されるのであれば、ロックスライダー３０は１枚のプレート状の部材から構成されていてももちろん良い。
【００２６】
ロックスライダー３０は、図４（ａ）に示すように、扉高さ方向に延びるメイン部３０Ａとメイン部３０Ａから扉幅方向に直角に突出する突出部３０Ｂとを有している。メイン部３０Ａのプレート面上には、第１〜第３の３つのピン孔３１〜３３が扉高さ方向に並んで形成されている。そして、ロックスライダー３０は、図１に示すように、第１のピン孔３１がカムプレート２０のピン孔２１に重なるように配置されている。
【００２７】
ロックスライダー３０は、その第１のピン孔３１とカムプレート２０のピン孔２１とに第１のピン部材７１が挿通されることで、カムプレート２０と連結されている。ここで、ロックスライダー３０の第１のピン孔３１は、第１のピン部材７１の軸部の直径よりも若干大きく形成されている。これは、レバーハンドル６の揺動に対して、ロックスライダー３０の後述する動き（スライド）に遊びを持たせるためである。
【００２８】
さらに、第２のピン孔３２には第２のピン部材７２が挿通されるとともに、第３のピン孔３３には第３のピン部材７３が挿通されるようになっている。第２のピン部材７２および第３のピン部材７３はいずれも、その一端部が錠ケース１０に固定された状態で、その他端部が第２のピン孔３２または第３のピン孔３３に挿通されており、ロックスライダー３０が扉高さ方向にスライドするのをガイドする機能を果たしている。つまり、第２のピン孔３２、第２のピン部材７２、第３のピン孔３３、および第３のピン部材７３から、ロックスライダー３０のスライドをガイドするガイド機構が構成されている。
【００２９】
ロックスライダー３０は、カムプレート２０が軸Ｏ１を中心として回動すると、そのカムプレート２０の回動力が第１のピン部材７１を介して伝達されて、カムプレート２０の回動に連動して扉高さ方向にスライド（直線運動）するようになっている。このとき、レバーハンドル６の軸Ｏ１を中心とした扉幅面内の回動がカムプレート２０とロックスライダー３０とによって扉高さ方向の直線運動に変換されている。
【００３０】
＜アームスライダー＞
アームスライダー４０は、図５（ａ）および（ｂ）に示すように、主壁４０Ａと、主壁４０Ａの左右の端縁部から直角に延びる一対の対向する側壁４０Ｂ，４０Ｃとを有して、水平方向（Ｘ−Ｙ面方向）に切断した断面形状が略コ字状に形成されている。
【００３１】
主壁４０Ａは、図１に示すように、その壁面が扉幅面方向に一致するように配置されている。また、主壁４０Ａには、扉高さ方向に延びる矩形状の開口部（以下、アーム用開口部という）４１が形成されている。アーム用開口部４１には、後で詳述するようにアーム６０が通されるようになっている。
【００３２】
各側壁４０Ｂ，４０Ｃは、その壁面が扉厚み面方向に一致するように配置されている。以下、扉２の吊元側に配置される側壁４０Ｂを第１の側壁といい、戸先側に配置される側壁４０Ｃを第２の側壁という。
【００３３】
第１の側壁４０Ｂには、図５（ａ）に示すように、ロックスライダー３０の突出部３０Ｂが嵌合する開口部（スライダ用開口部）４２が設けられている。また、第１の側壁４０Ｂおよび第２の側壁４０Ｃにはそれぞれ、ピン孔４３，４４とピン孔４５，４６とが、互いに対向する位置に設けられている。
【００３４】
ピン孔４３およびピン孔４４はそれぞれ円形状に形成されて、第４のピン部材７４が挿通されるようになっている。また、ピン孔４５およびピン孔４６はそれぞれ、扉高さ方向（Ｚ方向）に延びる長孔状に形成されて、第５のピン部材７５が挿通されるようになっている。
【００３５】
第４のピン部材７４はアームスライダー４０に固定されており、アームスライダー４０と一体に動くようになっている。一方、第５のピン部材７５はディバイドプレート５０に固定されている。ディバイドプレート５０は後述するように錠ケース１０に対して位置が固定されているので、第５のピン部材７５は錠ケース１０に対しても位置が固定された状態である。
【００３６】
＜ディバイドプレート＞
ディバイドプレート５０は、図６（ａ）および（ｂ）に示すようにプレート状に構成され、図１に示すようにそのプレート面が扉厚み面方向に一致する状態で錠ケース１０に位置を固定されている。本実施形態では、図６（ａ）および（ｂ）に示すように、第１のディバイトプレート５０Ａおよび第２のディバイドプレート５０Ｂの２枚のプレート状の部材を重ねることで肉厚に構成されている。第１のディバイトプレート５０Ａおよび第２のディバイドプレート５０Ｂは、適宜の箇所でスポット溶接されている。なお、ここでは、第２のディバイドプレート５０Ｂは第１のディバイドプレート５０Ａよりも肉厚に形成されている。
【００３７】
第１のディバイドプレート５０Ａは、吊元側に配置されるものであって、ロックスライダー３０の突出部３０Ｂが貫通する矩形状の開口部（スライダ用開口部）５１が設けられている。
【００３８】
第２のディバイドプレート５０Ｂは、戸先側に配置されるものであって、第１のディバイドプレート５０Ａと同様に、ロックスライダー３０の突出部３０Ｂが貫通する矩形状の開口部（スライダ用開口部）５２が設けられている。さらに、第２のディバイドプレート５０Ｂには、第４のピン部材７４が挿通されるピン孔５３と、第５のピン部材７５が挿通されるピン孔５４と、第６のピン部材７６が係合する切り欠き５５とが設けられている。第６のピン部材７６は錠ケース１０に対して位置を固定されている。
【００３９】
スライダ用開口部５１，５２の扉高さ方向の長さは、突出部３０Ｂの扉高さ方向の長さ（高さ）よりも長く形成されている。これによって、ロックスライダー３０がカムプレート２０の回動に連動して動くときに、ロックスライダー３０の突出部３０Ｂがスライダ用開口部５１，５２内を扉高さ方向に案内されて、ロックスライダー３０の移動方向を規制することになり、ロックスライダー３０は扉高さ方向にスライドすることとなる。
【００４０】
ピン孔５３は、扉高さ方向に延びる長孔状に形成されており、ピン孔５３内を第４のピン部材７４が移動可能になっている。つまり、ピン孔５３と第４のピン部材７３とが、アームスライダー４０のスライドをガイドする機能を果たしている。一方、ピン孔５４は円形状に形成されている。そして、前述したように、このピン孔５４の位置に第５のピン部材７５が固定されている。
【００４１】
＜アーム＞
アーム６０は、図７（ａ）および（ｂ）に示すようにプレート状の部材（板状体）でプレート状に構成され、図１に示すように、そのプレート面が扉厚み面方向に一致するようにアームスライダー４０の一対の側壁４０Ｂ，４０Ｃ間に配置されている。このとき、アーム６０の一端部６０Ａ（図７（ａ）において一点鎖線で囲む部分）が、アームスライダー４０の主壁４０Ａのアーム用開口部４１から突出した状態となっている。アーム６０の一端部６０Ａはまた、錠ケース１０に形成されたアーム用開口部（図示略）からも、少なくとも一部が突出した状態となっている。
【００４２】
また、アーム６０は、一端部６０Ａ中の上縁部（当接部）６０Ｂが、円形状に丸みを帯びて形成されている。そして、この上縁部６０Ｂが、扉２の開口部２ａから突出して扉枠３の段部３ａに当接するようになっている。
【００４３】
さらに、アーム６０には、第４のピン部材７４が回転自在に挿通されるピン孔６１と、第６のピン部材７６が移動自在に挿通されるピン孔６２とが設けられている。ピン孔６１は円形状に形成されており、一方、ピン孔６２は長孔状に形成されている。
【００４４】
アームスライダー４０とディバイドプレート５０とアーム６０とは、ピン孔４３，４４，５３，６１に第４のピン部材７４が挿通されることで互いに連結されている。
【００４５】
また、第６のピン部材７６がディバイドプレート５０の切り欠き５５に係合するとともにアーム６０のピン孔６２に挿通されることで、アーム６０は、第６のピン部材７６を回動軸として、第１の状態と第２の状態との間で扉厚み方向に回動するようになっている。
【００４６】
第１の状態は、アーム６０が扉２の内部空間に収まっている状態であり、第２の状態は、アーム６０が扉２の外部へと突出し、扉枠３の段部３ａに当接する状態である。第１の状態では、アーム６０は扉２と面一になっている。
【００４７】
＜作用・効果＞
本発明の一実施形態に係る扉開動アシスト錠は上述のように構成されているので、以下のような作用および効果を奏する。
【００４８】
レバーハンドル６が操作されない状態では、図８（ａ）に示すように、アーム６０は扉２と面一に扉２の内部空間に収納されている。
【００４９】
一方、レバーハンドル６が操作されて下方に押し下げられると、図８（ｂ）に示すように、レバーハンドル６の揺動に連動してカムプレート２０が回動し、カムプレート２０に固定された第１のピン部材７１が上方に持ち上がる。次いで、カムプレート２０とロックスライダー３０とは第１のピン部材７１によって連結されているために、カムプレート２０の回動に連動してロックスライダー３０が上方にスライドする。次いで、ロックスライダー３０とアームスライダー４０とは突出部３０Ｂとスライダ用開口部４２とによって連結されているために、ロックスライダー３０が上方へスライドしたのに連動してアームスライダー４０が上方へスライドするとともに、アームスライダー４０とアーム６０とは第４のピン部材７４によって連結されているために、アーム６０が第６のピン部材７６を中心に回動して、扉枠３の段部３ａに向かって扉２の開口部２ａから突出する。このとき、ディバイドプレート５０がロックスライダー３０およびアームスライダー４０のスライドと、アーム６０の回動とをガイドする。
【００５０】
すなわち、レバーハンドル６の扉幅面内の回動がカムプレート２０とロックスライダー３０とアームスライダー４０とによって扉高さ方向の直線運動に変換される。その後、ロックスライダー３０とアームスライダー４０の直線運動が、アーム６０の扉厚み面内の回動に変換される。
【００５１】
このように、レバーハンドル６の扉幅面内の回動力が直線運動に変換された後にアーム６０の回動力に変換され、なお且つ、アーム６０の回動方向が扉２の開方向である扉厚み方向と同一となるように構成されているので、アーム６０の回動力を効率良く扉２に伝達して扉２の開動をアシストすることができる。
【００５２】
また、アーム６０は回動するように構成されているので、例えばアーム６０が直線運動することによって扉２の開動をアシストする構成と比較すると、アーム６０の直線運動用の余分スペースを確保する必要がなく、また、直線運動用の特別な部材を必要としないために、錠ケース１０をコンパクトに構成し、その結果、扉開動アシスト錠１全体をコンパクトに構成することができる。
【００５３】
そして、扉開動アシスト錠１がコンパクトに構成された結果、扉開動アシスト錠１を扉２へ取り付ける取り付け作業が容易になるとともに、部品コストを抑えることができる。
【００５４】
また、扉開動アシスト錠１が扉２の内部空間に収容されているので、この点でも、扉２をコンパクトに構成することができる。さらに、扉開動アシスト錠１が扉外に露出しないので、扉２のデザイン性が扉開動アシスト錠１によって損なわれないという利点がある。
【００５５】
また、アーム６０が扉２と面一に配設されているので、扉２の開口部２ａに段差が生じずに、この点でも扉２のデザイン性が損なわれないという利点がある。
【００５６】
また、アーム６０がプレート状に構成されていれば、アーム６０をコンパクトに構成することができるとともに、アーム６０を収容する錠ケース１０ひいては扉２の構成もコンパクトにすることができる。
【００５７】
また、アーム６０の上縁部６０Ｂが円形状に形成されているので、アーム６０が扉枠３の段部３ａに当接する際に角で当接することがなく、扉枠３が損傷することを防止することができる。また、アーム６０の回動力を上縁部６０Ｂの円形状に沿って滑らかに扉枠３に伝達して、扉２を滑らかに開放することができる。
【００５８】
［その他］
以上、本発明の扉開動アシスト錠の一実施形態を上述のように説明したが、本発明の扉開動アシスト錠の構成は上述の実施形態に限定されるものではなく、本発明の要旨を逸脱しない範囲内において種々変更を加え得ることは勿論である。
【００５９】
例えば、上述の実施形態では、ロックスライダー３０とアームスライダー４０とを備えてレバーハンドル６の揺動を直線運動に変換したが、レバーハンドル６の揺動を直線運動に変換するスライド部材としては少なくとも１つの部材が備えられていれば良い。
【００６０】
また、上述の実施形態では、レバーハンドル６が操作されない状態では、アーム６０は扉２と面一になるように扉２の内部空間に収容されているが、面一に収容されていなくても良い。また、扉開動アシスト錠１自体が扉２の内部空間に収容されずに、扉２の壁面に取り付けられていても良い。
【００６１】
また、上述の実施形態では、アーム６０は扉枠３に当接する上縁部６０Ｂが円形状に形成されているが、アーム６０の形状は図７（ａ）および（ｂ）に示すものに限定されず、例えば、上縁部６０Ｂは円形状ではない曲線状であっても良いし、直線状に形成されていても良い。ただし、扉２のアーム用開口部２ａの大きさを可能な限り小さくするという観点でアーム６０の形状が設計されることが好ましい。また、アーム６０は板状体によってプレート状に構成されているが、扉枠３に当接して扉２の開動をアシストすることができれば、その形状はプレート状に限定されない。
【００６２】
また、上述の実施形態では、扉２を開動するための操作部材としてレバーハンドル６を備えたが、レバーハンドル６をノブ等の他の操作部材に替えても良い。ただし、操作部材は、扉厚み方向に延びる軸（例えば軸Ｏ１）を中心として揺動乃至は回動するものとする。
【００６３】
また、上述の実施形態では、マンション等の集合住宅の玄関扉２に設置された扉開動アシスト錠１について説明したが、玄関扉ではない室内の扉に設置されても良いし、戸建て住宅や住宅以外の建物の扉に設けられていても勿論良い。このとき、扉は気圧が高圧となる側に開くように設計され、且つ、扉の開動補助部材であるアームが低圧側に飛び出して扉枠に当接するように設計されていると良い。
【００６４】
つまり、本発明の扉開動アシスト錠は少なくとも、扉に回動可能に取り付けられた操作部材が操作されることによって、前記扉の厚み方向に揺動して開放される前記扉の開動をアシストする扉開動アシスト錠であって、前記操作部材の回動に連動して回動する回動部材と、前記回動部材の回動に連動して前記扉の高さ方向にスライドするスライド部材と、前記扉に設けられた開口部から前記扉の厚み方向に進退可能に前記扉の内部空間に収容され、前記スライド部材のスライドに連動して前記扉の厚み方向に回動して前記開口部から突出し、前記扉の扉枠に当接して前記扉に前記扉の開放方向への力を作用させる開動補助部材と、を備えるように構成されていれば良い。
【符号の説明】
【００６５】
１  扉開動アシスト錠
２  扉
２ａ  開口部
３  扉枠
３ａ  段部
４  ストライク板
５  ストライクボックス
６  レバーハンドル（操作部材）
１０  錠ケース
２０  カムプレート（回動部材）
３０  ロックスライダー（第１のスライド部材）
４０  アームスライダー（第２のスライド部材）
５０  ディバイドプレート（ガイド部材）
６０  アーム（開動補助部材）
６０Ｂ  上縁部（当接部）
７１〜７６  ピン部材
【図１】
2012177234.tif 000003
【図２】
2012177234.tif 000004
【図３】
2012177234.tif 000005
【図４】
2012177234.tif 000006
【図５】
2012177234.tif 000007
【図６】
2012177234.tif 000008
【図７】
2012177234.tif 000009
【図８】
2012177234.tif 000010